(57)【要約】【課題】簡単な構成により、利用客が誤って切符や定期券などの小物を落としても踏段を取り外すことなく、かつ安全に落下物を拾うことのできるようにする。【解決手段】循環走行する踏段８の幅方向両側にそれぞれ踏段との間に隙間を介して設けられたスカートガード１３が設けられ、また踏段８の幅方向両側に欄干の内側板１２が設けられている。この欄干の内側板１２とスカートガード１３の間に、その上方を覆うように設けられる内レッジ１４に対して、その踏段８側の端縁部に、上方に突出する突出部１６が設けられる。これにより利用客が誤って切符や定期券などの小物を落とした場合、落下した切符や定期券は、内レッジ１４の傾斜面に当り、内レッジ１４の傾斜面に沿ってすべり落ちても踏段８とスカートガード１３との隙間１８に入り込む前に突出部１６で受け止めることができる。【選択図】　図２
2004083173.tif 000002
【特許請求の範囲】
【請求項１】
主枠と、無端状に連結され、前記主枠に設けられたガイドレールに沿って循環走行する多数の踏段と、この踏段の幅方向両側に立設された一対の欄干と、この一対の欄干にそれぞれ設けられ、前記踏段と同期して走行する手すりベルトと、前記踏段の幅方向両側にそれぞれ前記踏段との間に隙間を介して設けられたスカートガードと、前記欄干と前記スカートガードとの間に設けられ、その踏段側の端縁部に、上方に突出する突出部を有する内レッジとを備えてなる乗客コンベア装置。
【請求項２】
前記突出部が前記内レッジを構成する板材を折り曲げて一体に形成されていることを特徴とする請求項１に記載の乗客コンベア装置。
【請求項３】
前記突出部が前記内レッジ面との間でＶ字溝を形成し、そのＶ字の角度が鋭角からほぼ直角をなす範囲に構成されていることを特徴とする請求項１に記載の乗客コンベア装置。
【請求項４】
前記内レッジ面上に衝撃を吸収する弾性体が貼り付けられ、この弾性体に前記突出部が構成されていることを特徴とする請求項１に記載の乗客コンベア装置。
【請求項５】
前記突出部が刷毛体により構成されていることを特徴とする請求項１に記載の乗客コンベア装置。
【発明の詳細な説明】
【０００１】
【発明の属する技術分野】
本発明は、利用客が所持していた切符や定期などの小物が踏段とスカートガードとの隙間に落下するのを防止するようにした乗客コンベア装置に関するものである。
【０００２】
【従来の技術】
乗客コンベア装置であるエスカレータや動く歩道は、無端状に連結された多数の踏段が、上下の階床間に傾斜して設けられたりまたは特定階床に水平方向に沿って設けられたガイドレールに案内されて循環走行するもので、踏段に乗った利用者を移動させる輸送機関である。
【０００３】
踏段を案内するガイドレールは、主枠に設けられており、この主枠には踏段の幅方向両側に一対の欄干が立設され、この一対の欄干にそれぞれ踏段と同一速度で同一方向に移動する手すりベルトが設けられている。また踏段の幅方向両側には、踏段の移動を妨げないように踏段との間に微小間隔をおいてスカートガードが設けられている。
【０００４】
ところで、この種の乗客コンベア装置においては、利用者が手すりベルトに掴まって乗客コンベア装置に乗る際に、踏段とスカートガードとの間に利用客の衣服や靴などが挟み込まれることのないように種々の対策が考えられている。
【０００５】
例えば、踏段の端縁部に荷重検出手段を設け、この荷重検出手段により、利用客による踏段の端縁部への乗り込みを検出し、この検出結果により出力される動作信号に基づいて報知手段が利用客に対し注意喚起するようにしたものがある。このようにすれば、利用客が踏段の端縁部に無意識で乗った場合に警告を発したり、乗客コンベア装置の運転速度を変えたり、停止させたりすることができ、これにより利用客の衣服や靴などが踏段とスカートガードとの隙間に挟み込まれることを防止し、安全性を高めることができる。
【０００６】
またスカートガードに複数の小孔を穿設し、かつスカートガードの裏側にダクトを配設し、圧縮空気をダクトから小孔を通して踏段側に噴出させるようにすることも提案されている。このようにすることにより、踏段のスカートガードに対する摩擦抵抗を低減させるとともに、スカートガードと踏段との隙間から吹き出す空気流により利用客の衣服や靴などが挟み込まれることを防止して安全性を高めることができる。
【０００７】
いずれの提案においても、利用客の衣服や靴などが踏段とスカートガードとの隙間に挟み込まれないようにすることに着目してなされたものであるが、その他にも、利用客が切符や定期券などの小物を誤って落として踏段とスカートガード間に落下させる場合があり、このような場合に、装置として安全にかつ簡単に拾うことのできる対策が検討されていないのが現状である。
【０００８】
【発明が解決しようとする課題】
利用客が切符や定期券などの小物を誤って踏段とスカートガード間に落下させた場合、それを拾うには、乗客コンベア装置を停止させ、踏段を外して取り出すしか方法がなかった。
【０００９】
この場合、乗客コンベア装置の利用客にとっては、切符などの落下物がすぐに回収できないと、次の交通機関の利用に支障を来たすことになり、また乗客コンベア装置を管理する側にとっても、保守会社に連絡し、保守員の到着を待ってから装置を停止し、踏段を外さないと回収することができないということになり、利用者が切符や定期券などの小物を誤って落下させた場合に、利用客、管理者双方にとって大変な労力と時間を要するという問題があった。
【００１０】
本発明は、上述の問題点を考慮してなされたもので、簡単な構成により、利用客が誤って切符や定期券などの小物を落としても、踏段を取り外すことなく、かつ安全に落下物を拾うことのできる乗客コンベア装置を提供することを目的とする。
【００１１】
【課題を解決するための手段】
本発明は上記の課題を解決するために、踏段の幅方向両側にそれぞれ踏段との間に隙間を介して設けられたスカートガードと、踏段の幅方向両側に設けられた欄干との間に設けられる内レッジに対して、その踏段側の端縁部に、上方に突出する突出部を設けるようにしたものである。
【００１２】
このようにすれば、利用客が誤って切符や定期券などの小物を落としても落下した切符や定期券は内レッジに当り、内レッジに沿ってすべり落ちても踏段とスカートガードとの隙間に落下する前に突出部で受け止めることができる。
【００１３】
【発明の実施の形態】
以下、本発明の実施の形態を説明する。図１は本発明による乗客コンベア装置の一例としてのエスカレーターを示す概略構成図であり、図２は本発明の第１実施の形態に係る構成を備えた、図１の欄干部の拡大断面図である。図３は図２に示す内レッジ部の拡大断面図である。
【００１４】
図１において、上階１ａと下階１ｂに跨って設けられた主枠２の長手方向の一端部には駆動装置３が設けられ、この駆動装置３に動力駆動チェーン４を介して駆動される駆動輪と同軸に駆動スプロケット５が設けられている。また主枠２の長手方向の他端部には従動スプロケット６が設けられている。この駆動スプロケット５と従動スプロケット６とに無端状の踏段チェーン７が巻き掛けられており、この踏段チェーン７に多数の踏段８が等ピッチで連結されている。踏段８はその前後に前輪８ａおよび後輪８ｂが取付けられており、これら前輪８ａおよび後輪８ｂを介して主枠２内に設けられた往路ガイドレール９ａ、帰路ガイドレール９ｂおよび反転ガイドレール９ｃからなるガイドレールに案内されることにより、多数の踏段８は踏段チェーン７の移動に連動して循環走行するようになっている。
【００１５】
主枠２の幅方向両側には一対の欄干１０が立設され、この欄干１０の上部には多数の踏段８と同期して走行する手すりベルト１１が設けられている。
【００１６】
図２において、欄干１０は、ガラスパネルあるいはステンレスパネルなどで形成された内側板１２を備え、主枠２に固定されている。主枠２の踏段８側には、踏段８の移動を妨げないように微小間隔をおいてスカートガード１３が設けられている。このスカートガード１３と内側板１２間には、これらの上方を覆うように内レッジ（インナーデッキとも言う）１４が踏段８側に下降するように傾斜して取付けられており、また内側板１２の反踏段８側には主枠２の上方を覆うように外レッジ１５が取付けられている。
【００１７】
内レッジ１４の踏段８寄りの端縁部には、上方に向けて突出する突出部１６が構成されている。この内レッジ１４の突出部１６は、図３に示すように、内レッジ１４を構成する板材の中間部を折り曲げて一体に形成されており、踏段８の走行方向に沿って上階端部から下階端部まで連続して形成されている。また内レッジ１４の傾斜面と突出部１６の突出方向が構成する角度αは、内レッジ１４の傾斜面に対してスカートガード１３面と平行な鋭角から内レッジ１４の傾斜面とほぼ直角をなす角度を範囲としたＶ字溝１７を構成している。なお、図示していないが、踏段８の図示右側の内レッジにおいても同様に構成されている。
【００１８】
次に上記構成の作用効果について説明する。
【００１９】
乗客コンベア装置の利用者が上階１ａまたは下階１ｂの乗降口から踏段８に乗り込むと、利用者は手すりベルト１１を持って下降または上昇を行なう。この過程で利用者が手すりベルト１１を掴む際に、手に持っていた切符あるいは定期券などの小物を落とした場合、その切符や定期券などの小物は内側板１２に沿って落下し、内レッジ１４面をすべり落ちる。
【００２０】
しかしながら、本実施の形態では、内レッジ１４面をすべり落ちた切符、定期券などの小物は、内レッジ１４の端縁部の突出部１６と内レッジ１４面とで形成されるＶ字溝１７の存在により、ここで受け止められ、踏段８とスカートガード１３の隙間１８に落ちることがなくなる。しかもＶ字溝１７に保持された切符や定期券などの小物は、内レッジ１４上のＶ字溝１７に保持されており、利用客が昇降をやり直すことにより安全に拾うことができる。
【００２１】
また内レッジ１４の突出部１６は、角度αにより踏段８寄りに傾いているために、万が一Ｖ字溝１７で受け止められなくても、突出部１６が踏段８に対して上下方向でオーバーラップしているため、落下した切符や定期券などの小物が、直接スカートガード１３と踏段８の隙間１８に落ちることはない。
【００２２】
さらに本実施の形態によれば、内レッジ１４の突出部１６が踏段８寄りに傾いているために、利用者が踏段のデマケーション（三方の黄色線）を踏んでいる場合には、突出部１６が足に触れるためにその接触感覚で内レッジ１４側に寄り過ぎていることが分かり、注意喚起ができる。
【００２３】
また本実施の形態では、内レッジ１４を構成する板材の中間部を折り曲げて突出部１６を一体に形成しているために、突出部１６の強度が大きくできて破損を低減することができる。
【００２４】
次に本発明の第２実施の形態について説明する。図４は本発明に係る内レッジ部の第２実施の形態を示す断面図である。
【００２５】
本実施の形態は、内レッジ１４の傾斜面の表面に、衝撃を吸収する透明あるいは有色のマット状の弾性体１９を貼り付けたもので、この弾性体１９の踏段８寄りの端縁部に、上方に向けて突出する突出部２０が一体に形成されている。この突出部２０の突出方向は、第１実施の形態と同様にスカートガード１３面と平行な鋭角から内レッジ１４の傾斜面とほぼ直角をなす角度を範囲としてＶ字溝２１を構成している。またこの弾性体１９は、踏段８の走行方向に沿って上階端部から下階端部まで連続して設けられている。
【００２６】
次に上記構成の作用効果について説明する。内レッジ１４の傾斜面に沿う弾性体１９の傾斜面と突出部２０とで形成されるＶ字溝２１の存在により、第１実施の形態と同様に、落下した切符や定期券などの小物は、ここで受け止められ、踏段８とスカートガード１３の隙間１８に落ちることがなくなり、しかも安全に拾うことができる。
【００２７】
そしてさらに切符や定期券以外にコインなどの剛体が落下した場合においても、内レッジ１４上の弾性体１９が落下した衝撃を吸収するために跳ね返りが少なくなり、Ｖ字溝２１へ留めることができる。
【００２８】
次に本発明の第３実施の形態について説明する。図５は本発明に係る内レッジ部の第３実施の形態を示す断面図である。
【００２９】
本実施の形態は、内レッジ１４に対して、その傾斜面の踏段８寄りの端縁部表面に、ブラシ状の刷毛体からなる突出部２２を植え付けたもので、踏段８の走行方向に沿って上階端部から下階端部までを連続して植え込まれ、内レッジ１４の傾斜面とほぼ直角をなす角度の範囲に置かれてＶ字溝２３を構成している。
【００３０】
本実施の形態によれば、上記各実施の形態と同様に、落下した切符や定期券などの小物が、突出部２２がなすＶ字溝２３で受け止められ、踏段８とスカートガード１３の隙間１８に落ちることがなくなり、しかも安全に拾うことができる効果が得られるほか、突出部２２に柔軟性があるので損傷が生じにくく、また部分的に損傷してもその部分だけを容易に修復することができる効果がある。
【００３１】
【発明の効果】
以上説明したように、本発明の乗客コンベア装置によれば、内レッジの踏段寄りに突出部を設けたことにより、利用客が切符や定期券などの小物を誤って落としても、内レッジの踏段寄りに設けた突出部で受け止めることができるので、簡単な構成により、踏段を取り外すことなく、安全に定期や切符券などの小物を拾うことができる。
【図面の簡単な説明】
【図１】本発明による乗客コンベア装置の一例としてのエスカレーターを示す概略構成図である。
【図２】本発明の第１実施の形態に係る構成を備えた、図１の欄干部の拡大断面図である。
【図３】図２に示す内レッジ部の拡大断面図である。
【図４】本発明に係る内レッジ部の第２実施の形態を示す断面図である。
【図５】本発明に係る内レッジ部の第３実施の形態を示す断面図である。
【符号の説明】
１ａ…上階
１ｂ…下階
２…主枠
３…駆動装置
４…動力駆動チェーン
５…駆動スプロケット
６…従動スプロケット
７…踏段チェーン
８…踏段
８ａ…前輪
８ｂ…後輪
９ａないし９ｃ…ガイドレール
１０…欄干
１１…手すりベルト
１２…内側板
１３…スカートガード
１４…内レッジ
１５…外レッジ
１６，２０，２２…突出部
１７，２１，２３…Ｖ字溝
１８…隙間
１９…弾性体
【図１】
2004083173.tif 000003
【図２】
2004083173.tif 000004
【図３】
2004083173.tif 000005
【図４】
2004083173.tif 000006
【図５】
2004083173.tif 000007